(57)【要約】【課題】従来の画像形成装置では、両面印刷時に熱に敏感なユニットに対する熱影響が発生してしまうことがあった。【解決手段】片面に画像が定着された転写材を画像形成部に再び搬送する逆搬送路５１０と、逆搬送路５１０に設けられた搬送ローラ５２０と、逆搬送路５１０の搬送ローラ５２０よりも下流側に設けられた搬送ローラ５３０と、搬送ローラ５２０と搬送ローラ５３０との間に設けられた、逆搬送路５１０に搬送されてきた転写材に対して空気を吹き付ける冷却ファン５４０と、搬送ローラ５２０と搬送ローラ５３０との間に設けられた、吹き付けられた空気を外部に排出するダクト５５０とを備えた画像形成装置である。【選択図】図２
2008003412.tif 000002
【特許請求の範囲】
【請求項１】
画像を転写材に形成する画像形成部と、
前記形成された画像を前記転写材に定着させる画像定着部と、
片面に前記画像が定着された前記転写材を前記画像形成部に再び搬送する逆搬送路と、
前記逆搬送路に設けられた第１の搬送ローラと、
前記逆搬送路の前記第１の搬送ローラよりも下流側に設けられた第２の搬送ローラと、
前記第１の搬送ローラと前記第２の搬送ローラとの間に設けられた、前記逆搬送路に搬送されてきた前記転写材に対して空気を吹き付けるファンと、
前記第１の搬送ローラと前記第２の搬送ローラとの間に設けられた、前記吹き付けられた空気を外部に排出する排気孔とを備えた画像形成装置。
【請求項２】
前記ファンは、前記逆搬送路の前記排気孔よりも前記下流側に設けられている請求項１記載の、画像形成装置。
【請求項３】
前記空気が吹き付けられる向きと前記転写材が前記逆搬送路を搬送されていく向きとのなす角度は、鈍角である請求項２記載の、画像形成装置。
【請求項４】
前記転写材が前記逆搬送路を搬送されていく状態の検出を行う検出部を備え、
前記ファンは、前記検出の結果に応じて前記空気を吹き付けるタイミングが制御される請求項１記載の、画像形成装置。
【請求項５】
前記ファンは、前記転写材が前記第２の搬送ローラの近傍を搬送されていることが検出された際に前記空気を吹き付けるように、前記タイミングが制御される請求項４記載の、画像形成装置。
【請求項６】
前記ファンは、前記転写材の、前記画像が前記定着された片面に対して前記空気を吹き付ける位置に設けられている請求項１記載の、画像形成装置。
【請求項７】
前記排気孔の前記逆搬送路への開口部に配設された、複数の孔が開けられたプレートを備え、
前記孔の大きさは、前記逆搬送路を搬送されていく前記転写材の端部が接触する領域においてはその他の領域においてよりも小さい請求項１記載の、画像形成装置。
【請求項８】
前記第１の搬送ローラは、前記逆搬送路の幅の長さをもつ円筒形状を有し、
前記第２の搬送ローラは、前記逆搬送路の幅の長さをもつ円筒形状を有する請求項１記載の、画像形成装置。
【発明の詳細な説明】
【技術分野】
【０００１】
本発明は、たとえば、両面搬送ユニットを経由して、定着ユニットにおいてトナーが定着された用紙を再び定着ユニットに導く両面搬送機構をもつ複写機などの画像形成装置に関するものである。
【背景技術】
【０００２】
近年の複写機等に代表される画像形成装置においては高画質化とともに高速化が強く要求されているが、トナーを用紙に定着させるためには一定の熱量が必要であり、そのような高速化が進むと、定着部によるトナー定着の後の用紙の冷却が十分に行われないという現象が生じる。
【０００３】
同現象により、両面印刷時に熱量を有した用紙が機内の搬送経路を移動すると、現像系を含む画像転写ユニットなどの熱に敏感なユニットに対しての熱影響が発生してしまうことがあった。
【０００４】
そこで、従来の画像形成装置には、ローラとベルトを用紙に接触させることにより定着部から排出された用紙の熱を奪うものがある。
【０００５】
ここで、従来の画像形成装置の部分断面図である図８を参照しながら、従来の画像形成装置１の構成および動作について具体的に説明する（例えば、特許文献１参照）。
【０００６】
画像形成装置１の本体２の内部には、定着部１０と、用紙搬送部２０と、冷却部３０とが備えられている。
【０００７】
用紙搬送部２０は定着部１０のすぐ下流に設けられ、搬送ベルト２１の一部が本体２の筐体３の側壁の内面に接近しかつ平行になるように配置されている。
【０００８】
冷却部３０は、冷却ファン３１と、吸引ファン（図示省略）とで構成されている。
【０００９】
冷却ファン３１は搬送ベルト２１と平行な筐体３の内面に配置されており、この搬送ベルト２１と平行な筐体３の内面の壁部には通気孔３３が設けられている。
【００１０】
吸引ファン（図示省略）には、吸引ダクト３４が定着部１０のすぐ下流で搬送ベルト２１に内側から接触するように配置されている。
【００１１】
このような構成によれば、空気が冷却部３０の動作により強制的に流通させられる。
【００１２】
したがって、熱が搬送ベルト２１に蓄積されることがないので、用紙を十分に冷却することが可能である。
【特許文献１】特開２００４−１９８８６３号公報
【発明の開示】
【発明が解決しようとする課題】
【００１３】
しかしながら、このような画像形成装置１においては、強制的に流通させられる空気が装置の外部に排出されるまでの経路が確保されておらず、昇温した空気が機内空間を暖めてしまう。
【００１４】
そのため、画像形成装置１では、結局のところ、両面印刷時に熱に敏感なユニットに対する熱影響が発生してしまうことがあった。
【００１５】
本発明は、上記従来のこのような課題を考慮し、両面印刷時に熱に敏感なユニットに対する熱影響が発生することを抑制できる画像形成装置を提供することを目的とする。
【課題を解決するための手段】
【００１６】
第１の本発明は、画像を転写材に形成する画像形成部と、
前記形成された画像を前記転写材に定着させる画像定着部と、
片面に前記画像が定着された前記転写材を前記画像形成部に再び搬送する逆搬送路と、
前記逆搬送路に設けられた第１の搬送ローラと、
前記逆搬送路の前記第１の搬送ローラよりも下流側に設けられた第２の搬送ローラと、
前記第１の搬送ローラと前記第２の搬送ローラとの間に設けられた、前記逆搬送路に搬送されてきた前記転写材に対して空気を吹き付けるファンと、
前記第１の搬送ローラと前記第２の搬送ローラとの間に設けられた、前記吹き付けられた空気を外部に排出する排気孔とを備えた画像形成装置である。
【００１７】
第２の本発明は、前記ファンは、前記逆搬送路の前記排気孔よりも前記下流側に設けられている第１の本発明の、画像形成装置である。
【００１８】
第３の本発明は、前記空気が吹き付けられる向きと前記転写材が前記逆搬送路を搬送されていく向きとのなす角度は、鈍角である第２の本発明の、画像形成装置である。
【００１９】
第４の本発明は、前記転写材が前記逆搬送路を搬送されていく状態の検出を行う検出部を備え、
前記ファンは、前記検出の結果に応じて前記空気を吹き付けるタイミングが制御される第１の本発明の、画像形成装置である。
【００２０】
第５の本発明は、前記ファンは、前記転写材が前記第２の搬送ローラの近傍を搬送されていることが検出された際に前記空気を吹き付けるように、前記タイミングが制御される第４の本発明の、画像形成装置である。
【００２１】
第６の本発明は、前記ファンは、前記転写材の、前記画像が前記定着された片面に対して前記空気を吹き付ける位置に設けられている第１の本発明の、画像形成装置である。
【００２２】
第７の本発明は、前記排気孔の前記逆搬送路への開口部に配設された、複数の孔が開けられたプレートを備え、
前記孔の大きさは、前記逆搬送路を搬送されていく前記転写材の端部が接触する領域においてはその他の領域においてよりも小さい第１の本発明の、画像形成装置である。
【００２３】
第８の本発明は、前記第１の搬送ローラは、前記逆搬送路の幅の長さをもつ円筒形状を有し、
前記第２の搬送ローラは、前記逆搬送路の幅の長さをもつ円筒形状を有する第１の本発明の、画像形成装置である。
【発明の効果】
【００２４】
本発明は、両面印刷時に熱に敏感なユニットに対する熱影響が発生することを抑制できる画像形成装置を提供できるという長所を有する。
【発明を実施するための最良の形態】
【００２５】
以下、本発明の実施の形態について、図面を用いて説明する。
【００２６】
（実施の形態１）
はじめに、本発明における実施の形態１の画像形成装置の模式的な断面図である図１を主として参照しながら、本実施の形態の画像形成装置の構成について説明する。
【００２７】
給紙ユニット１００は、印刷が行われる転写材を保管する用紙トレー、および画像転写ユニット２００へ転写材を供給するローラなどを有する手段である。
【００２８】
画像転写ユニット２００は、感光される感光ドラム、感光ドラムの表面を帯電させる帯電器、画像が形成される部分以外の感光ドラムの表面に光を当てて帯電電荷を除去し、静電潜像を形成する露光器、および転写材に対して感光ドラムの反対側からトナーと逆特性の電荷を与え、静電力により転写材にトナーを転写する転写器などを有する手段である。
【００２９】
定着ユニット３００は、ヒータをもつ定着ローラ、および定着ローラに圧接する圧ローラなどを有する手段である。
【００３０】
排紙ユニット４００は、画像が形成された転写材が載置される排出トレーなどを有する手段である。
【００３１】
両面搬送ユニット５００は、定着ユニット３００においてトナーが定着された転写材を再び定着ユニット３００に導く搬送ローラ５２０、および搬送ローラ５２０よりも下流側に設けられた搬送ローラ５３０などを有する手段である。
【００３２】
用紙反転ユニット６００は、両面搬送ユニット５００から搬送されてきた転写材をニップしてその前端と後端とを入れ替えることにより転写材の前後を反転させる前段のローラ、前段のローラによってその前後が反転させられた転写材をニップし搬送する中段のローラ、および中段のローラから搬送されてきた転写材を画像転写ユニット２００へ供給する後段のローラなどを有する手段である。
【００３３】
さて、本実施の形態の画像形成装置の構成の特徴は、両面印刷が行われる場合において、他ユニットへの熱影響を抑制するために空気を吹き付けて熱量を有した転写材を冷却する両面搬送ユニット５００の特徴にある。
【００３４】
そこで、本発明における実施の形態１の両面搬送ユニット５００の模式的な断面図である図２を主として参照しながら、両面搬送ユニット５００の構成についてより詳しく説明する。
【００３５】
両面搬送ユニット５００は、片面に画像が定着された転写材を画像転写ユニット２００に再び搬送する逆搬送路５１０と、逆搬送路５１０に設けられた搬送ローラ５２０と、逆搬送路５１０の搬送ローラ５２０よりも下流側に設けられた搬送ローラ５３０と、搬送ローラ５２０と搬送ローラ５３０との間に設けられた、逆搬送路５１０に搬送されてきた転写材に対して空気を吹き付ける冷却ファン５４０と、搬送ローラ５２０と搬送ローラ５３０との間に設けられた、吹き付けられた空気を外部に排出するダクト５５０とを備えている。
【００３６】
また、両面搬送ユニット５００は、転写材が逆搬送路５１０を搬送されていく状態の検出を行うペーパー検知スイッチ５６１、およびペーパー検知スイッチ５６２を備えている。
【００３７】
ここで、両面搬送ユニット５００の各構成要素についてより詳しく説明する。
【００３８】
逆搬送路５１０は、片面に画像が定着された転写材を画像転写ユニット２００に再び搬送する搬送路である。
【００３９】
逆搬送路５１０は、ガイド板５１１、およびガイド板５１１と対向するガイド板５１２を利用して、鉛直方向において下向きに転写材が搬送されていくように形成されている。
【００４０】
ガイド板５１１は、転写材が逆搬送路５１０を搬送されていく矢印Ｘで示された向きに転写材の両端を案内できるように設けられた２ｍｍ程度の高さをもつリブを有している。
【００４１】
ガイド板５１２は、ガイド板５１１と同様に、転写材が逆搬送路５１０を搬送されていく矢印Ｘで示された向きに転写材の両端を案内できるように設けられた２ｍｍ程度の高さをもつリブを有している。
【００４２】
搬送ローラ５２０は、逆搬送路５１０に設けられたローラである。
【００４３】
搬送ローラ５２０は、逆搬送路５１０の幅の長さをもつ円筒形状を有し、ゴムやポリアセタールなどの樹脂を利用して形成されている。
【００４４】
このために、冷却ファン５４０によって熱量を有した転写材に吹き付けられ、転写材からの対流熱伝達により昇温した空気は、搬送ローラ５２０よりも上流側に逃げていきにくい。
【００４５】
搬送ローラ５３０は、逆搬送路５１０の搬送ローラ５２０よりも下流側に設けられたローラである。
【００４６】
搬送ローラ５３０は、搬送ローラ５２０と同様に、逆搬送路５１０の幅の長さをもつ円筒形状を有し、ゴムやポリアセタールなどの樹脂を利用して形成されている。
【００４７】
このために、上述したような対流熱伝達により昇温した空気は、搬送ローラ５３０よりも下流側に逃げていきにくい。
【００４８】
冷却ファン５４０は、逆搬送路５１０への開口部を搬送ローラ５２０と搬送ローラ５３０との間にもち、外部と連通しているダクトの内部に設けられた、逆搬送路５１０に搬送されてきた転写材に対して空気を吹き付けるファンである。
【００４９】
冷却ファン５４０は、逆搬送路５１０のダクト５５０よりも下流側に設けられている。
【００５０】
このために、冷却ファン５４０によって熱量を有した転写材に吹き付けられ、転写材からの対流熱伝達により昇温した空気は、体積膨張して浮力効果により上昇し、ダクト５５０より外部に排出されやすい。
【００５１】
のみならず、冷却ファン５４０が停止しているときでも、昇温した空気がダクト５５０から自然に外部に排出される煙突効果により自然空冷が行われる。
【００５２】
空気が吹き付けられる矢印Ｙで示された向きと転写材が逆搬送路５１０を搬送されていく矢印Ｘで示された向きとのなす角度は、鈍角である。
【００５３】
このために、逆搬送路５１０における風速を表すベクトルを通紙方向のベクトルと図１の紙面内で通紙方向に垂直な方向のベクトルとに分解したとき、その通紙方向のベクトルは空気の排出される向き（つまり、矢印Ｘで示された向きとは逆の向き）をもつとともに十分な大きさをもつから、上述したような対流熱伝達が効率よく行われる。
【００５４】
冷却ファン５４０は、転写材の、画像が定着された片面に対して空気を吹き付けることができる外装カバー側の位置に設けられている。
【００５５】
このために、用紙反転ユニット６００は両面搬送ユニット５００よりも下流側に設けており、定着ユニット３００が有する定着ローラに接して昇温した方の片面に空気を吹き付けることができる。
【００５６】
冷却ファン５４０は、後により詳しく説明されるように、転写材が搬送ローラ５３０の近傍を搬送されていることが検出された際に空気を吹き付けるように、空気を吹き付けるタイミングが制御部（図示省略）によって制御される。
【００５７】
このために、送風は転写材の少なくとも前端が搬送ローラ５３０に噛んでいる状態で主に行われ、転写材が逆搬送路５１０の内部でばたついてしまうことを回避することができる。
【００５８】
ダクト５５０は、搬送ローラ５２０と搬送ローラ５３０との間に設けられた、吹き付けられた空気を外部に排出する排気孔である。
【００５９】
プレート５５１は、ダクト５５０の逆搬送路５１０への開口部に配設された、複数の孔が開けられたプレートである。
【００６０】
ここで、本発明における実施の形態１のプレート５５１の模式的な平面図である図３（Ａ）、および本発明における実施の形態１のプレート５５１の模式的な右側面図である図３（Ｂ）を参照しながら、プレート５５１の構成についてより詳しく説明する。
【００６１】
プレート５５１は、両面印刷の対象となる紙幅の最大値Ｗ１と両面印刷の対象となる紙幅の最大値Ｗ２とを考慮して、逆搬送路５１０を搬送されていく転写材の端部が接触する領域Ｄ２および領域Ｄ４においては丸孔が開けられており、その他の領域Ｄ１、領域Ｄ３および領域Ｄ５においては長孔が開けられている。
【００６２】
孔の大きさは、領域Ｄ２および領域Ｄ４においてはその他の領域Ｄ１、領域Ｄ３および領域Ｄ５においてよりも小さい。
【００６３】
このために、転写材がダクト５５０側に吸い込まれてプレート５５１の通紙域の部分に引っ掛かってしまうことを抑制しつつ、排気効率も十分に確保することができる。
【００６４】
プレート５５１は、転写材が逆搬送路５１０を搬送されていく矢印Ｘで示された向きに転写材の両端を案内できるように、領域Ｄ１と領域Ｄ２との境界、領域Ｄ２と領域Ｄ３との境界、領域Ｄ３と領域Ｄ４との境界、および領域Ｄ４と領域Ｄ５との境界にそれぞれ設けられた２ｍｍ程度の高さをもつリブＲ１、リブＲ２、リブＲ３、およびリブＲ４を有している。
【００６５】
ペーパー検知スイッチ５６１は、搬送ローラ５２０の近傍に設けられており、転写材が搬送ローラ５２０の近傍を搬送されている場合にはオンとなり、それ以外の場合にはオフとなることにより、転写材が逆搬送路５１０を搬送されていく状態の検出を行うアクチュエータを有する検出器である。
【００６６】
ペーパー検知スイッチ５６２は、搬送ローラ５３０の近傍に設けられており、転写材が搬送ローラ５３０の近傍を搬送されている場合にはオンとなり、それ以外の場合にはオフとなることにより、転写材が逆搬送路５１０を搬送されていく状態の検出を行うアクチュエータを有する検出器である。
【００６７】
ペーパー検知スイッチ５６１とペーパー検知スイッチ５６２との間の距離は、転写材の長さよりも短い。
【００６８】
なお、画像転写ユニット２００は、本発明の画像形成部に対応する。
【００６９】
また、定着ユニット３００は、本発明の画像定着部に対応する。
【００７０】
また、逆搬送路５１０は、本発明の逆搬送路に対応する。
【００７１】
また、搬送ローラ５２０は、本発明の第１の搬送ローラに対応する。
【００７２】
また、搬送ローラ５３０は、本発明の第２の搬送ローラに対応する。
【００７３】
また、冷却ファン５４０は、本発明のファンに対応する。
【００７４】
また、ダクト５５０は、本発明の排気孔に対応する。
【００７５】
また、ペーパー検知スイッチ５６１、およびペーパー検知スイッチ５６２を含むユニットは、本発明の検出部に対応する。
【００７６】
つぎに、本実施の形態の画像形成装置の動作について説明する。
【００７７】
なお、本実施の形態の画像形成装置の動作について説明しながら、本発明に関連する発明の画像形成方法の一実施の形態についても説明する。
【００７８】
給紙ユニット１００が転写材を画像転写ユニット２００に供給し、画像転写ユニット２００が供給された転写材の一方の面にトナーを転写し、定着ユニット３００がその転写されたトナーを定着する。
【００７９】
片面印刷が行われる場合には、トナーの片面に定着された転写材は、そのまま排紙ユニット４００に排出される。
【００８０】
両面印刷が行われる場合には、両面搬送ユニット５００がトナーの定着された転写材を用紙反転ユニット６００に搬送し、用紙反転ユニット６００は転写材の前後を反転した上でその転写材を画像転写ユニット２００へ供給する。
【００８１】
画像転写ユニット２００が再び供給された転写材の他方の面にトナーを転写し、定着ユニット３００がその転写されたトナーを定着する。
【００８２】
そして、トナーの両面に定着された転写材は、排紙ユニット４００に排出される。
【００８３】
さて、本実施の形態の画像形成装置の動作の特徴は、両面印刷が行われる場合において、他ユニットへの熱影響を抑制するために空気を吹き付けて熱量を有した転写材を冷却する両面搬送ユニット５００の動作にある。
【００８４】
そこで、両面搬送ユニット５００の動作についてより詳しく説明する。
【００８５】
ステップ１；トナーの片面に定着された転写材１０００が定着ユニット３００側から搬送されてきて、ペーパー検知スイッチ５６１がオンとなり、ペーパー検知スイッチ５６２がオフであるままである場合について、図４を主として参照しながら説明する。
【００８６】
なお、図４は、本発明における実施の形態１の両面搬送ユニット５００の動作の説明図（その１）である。
【００８７】
冷却ファン５４０は、ペーパー検知スイッチ５６１がオンとなり、ペーパー検知スイッチ５６２がオフであるままである場合においては、停止している。
【００８８】
このため、転写材１０００は、逆搬送路５１０の内部でばたついてしまうことなく、搬送ローラ５２０により速やかに搬送されていく。
【００８９】
前述したように、昇温した空気は、冷却ファン５４０が停止しているときでも、煙突効果によりダクト５５０から自然に外部に排出される。
【００９０】
もちろん、無駄な電力の消費は、冷却ファン５４０が停止しているために押さえられる。
【００９１】
ステップ２；転写材１０００がもっと搬送されて、ペーパー検知スイッチ５６１がオンとなったままであり、ペーパー検知スイッチ５６２もオンとなった場合について、図５を主として参照しながら説明する。
【００９２】
なお、図５は、本発明における実施の形態１の両面搬送ユニット５００の動作の説明図（その２）である。
【００９３】
冷却ファン５４０は、ペーパー検知スイッチ５６１がオンとなったままであり、ペーパー検知スイッチ５６２もオンとなった場合においては、運転する。
【００９４】
このため、転写材１０００は、冷却ファン５４０が行う送風によって冷却されながら、搬送ローラ５２０および搬送ローラ５３０により速やかに搬送されていく。
【００９５】
冷却ファン５４０によって転写材１０００に吹き付けられ昇温した空気は、ガイド板５１１、搬送ローラ５２０、転写材１０００、および搬送ローラ５３０によって囲まれた空間が形成されることで生じるダクト効果も手伝って、余分な経路を通過することなくダクト５５０から外部に排出される。
【００９６】
もちろん、転写材１０００は、前端が搬送ローラ５３０に噛んでおり、後端が搬送ローラ５２０に噛んでいるため、逆搬送路５１０の内部でばたついてしまうことはない。
【００９７】
ステップ３；転写材１０００がさらにもっと搬送されて、ペーパー検知スイッチ５６１がオフとなり、ペーパー検知スイッチ５６２がオンとなったままである場合について、図６を主として参照しながら説明する。
【００９８】
なお、図６は、本発明における実施の形態１の両面搬送ユニット５００の動作の説明図（その３）である。
【００９９】
冷却ファン５４０は、ペーパー検知スイッチ５６１がオフとなり、ペーパー検知スイッチ５６２がオンとなったままである場合においては、まだ運転している。
【０１００】
このため、転写材１０００は、冷却ファン５４０が行う送風によって冷却されながら、搬送ローラ５３０により速やかに搬送されていく。
【０１０１】
冷却ファン５４０によって転写材１０００に吹き付けられ昇温した空気は、余分な経路を通過することなくダクト５５０から外部に排出される。
【０１０２】
もちろん、転写材１０００は、後端が搬送ローラ５２０に噛んでいないとはいえ、前端が搬送ローラ５３０に噛んでいるため、逆搬送路５１０の内部で通紙が滞ってしまうほどにばたついてしまうことはない。
【０１０３】
ステップ４；転写材１０００が用紙反転ユニット６００側へ搬送されていき、ペーパー検知スイッチ５６１がオフであり、ペーパー検知スイッチ５６２もオフとなった場合について、図７を主として参照しながら説明する。
【０１０４】
なお、図７は、本発明における実施の形態１の両面搬送ユニット５００の動作の説明図（その４）である。
【０１０５】
冷却ファン５４０は、ペーパー検知スイッチ５６１がオフであり、ペーパー検知スイッチ５６２もオフとなった場合においては、停止している。
【０１０６】
このため、転写材１０００は、逆搬送路５１０の内部でばたついてしまうことなく、搬送ローラ５３０により速やかに搬送されていく。
【０１０７】
前述したように、昇温した空気は、冷却ファン５４０が停止しているときでも、煙突効果によりダクト５５０から自然に外部に排出される。
【０１０８】
もちろん、無駄な電力の消費は、冷却ファン５４０が停止しているために押さえられる。
【０１０９】
かくして、本実施の形態においては、両面印刷時に画像転写ユニット２００などの熱に敏感なユニットに対する熱影響が発生することを抑制できる。
【０１１０】
以上においては、本発明における実施の形態１について詳細に説明を行った。
【０１１１】
なお、上述した実施の形態１で説明したステップ１〜４は、連続的に給紙が行われる場合にはこの順番で繰り返されていくから、ステップ１および４においては、冷却ファン５４０は停止しているのではなく出力を落とすだけでもよい。
【０１１２】
また、本発明に関連する発明のプログラムは、上述した本発明に関連する発明の画像形成方法の、ファンが検出の結果に応じて空気を吹き付けるタイミングを制御するステップの動作をコンピュータにより実行させるためのプログラムであって、コンピュータと協働して動作するプログラムである。
【０１１３】
また、本発明に関連する発明の記録媒体は、上述した本発明に関連する発明の画像形成方法の、ファンが検出の結果に応じて空気を吹き付けるタイミングを制御するステップの動作をコンピュータにより実行させるためのプログラムを記録した記録媒体であり、コンピュータにより読み取り可能かつ、読み取られたプログラムがコンピュータと協働して動作を実行する記録媒体である。
【０１１４】
また、本発明に関連する発明のプログラムの一利用形態は、コンピュータにより読み取り可能な、ＲＯＭなどの記録媒体に記録され、コンピュータと協働して動作する態様であっても良い。
【０１１５】
また、上述したコンピュータは、ＣＰＵなどの純然たるハードウェアに限らず、ファームウェアや、ＯＳ、更に周辺機器を含むものであっても良い。
【０１１６】
なお、以上説明した様に、本発明に関連する発明の構成は、ソフトウェア的に実現しても良いし、ハードウェア的に実現しても良い。
【産業上の利用可能性】
【０１１７】
本発明は、両面印刷時に熱に敏感なユニットに対する熱影響が発生することを抑制できる画像形成装置を提供でき、複写機などとして有用である。
【図面の簡単な説明】
【０１１８】
【図１】本発明における実施の形態１の画像形成装置の模式的な断面図
【図２】本発明における実施の形態１の両面搬送ユニット５００の模式的な断面図
【図３】（Ａ）本発明における実施の形態１のプレート５５１の模式的な平面図、（Ｂ）本発明における実施の形態１のプレート５５１の模式的な右側面図
【図４】本発明における実施の形態１の両面搬送ユニット５００の動作の説明図（その１）
【図５】本発明における実施の形態１の両面搬送ユニット５００の動作の説明図（その２）
【図６】本発明における実施の形態１の両面搬送ユニット５００の動作の説明図（その３）
【図７】本発明における実施の形態１の両面搬送ユニット５００の動作の説明図（その４）
【図８】従来の画像形成装置の部分断面図
【符号の説明】
【０１１９】
５００  両面搬送ユニット
５１０  逆搬送路
５１１  ガイド板
５１２  ガイド板
５２０  搬送ローラ
５３０  搬送ローラ
５４０  冷却ファン
５５０  ダクト
５５１  プレート
５６１  ペーパー検知スイッチ
５６２  ペーパー検知スイッチ
Ｘ  矢印
Ｙ  矢印
【図１】
2008003412.tif 000003
【図２】
2008003412.tif 000004
【図３】
2008003412.tif 000005
【図４】
2008003412.tif 000006
【図５】
2008003412.tif 000007
【図６】
2008003412.tif 000008
【図７】
2008003412.tif 000009
【図８】
2008003412.tif 000010